(57)【要約】【課題】ユーザの接触に伴う静電容量の変化量が、閾値候補との関係でどの程度であるかを、ユーザが把握することのできるタッチセンサ付電子機器を提供する。【解決手段】ユーザの接触に伴う静電容量の変化量を検出する容量検出部と、該検出の結果が、予め設定された感度閾値を超えたときに、前記ユーザによって操作がなされたと認識する操作認識部と、複数種の閾値候補のうちの何れかを、前記感度閾値として設定する閾値設定部と、前記変化量が、隣り合う前記閾値候補同士で仕切られた各領域の何れに属しているかを判定する判定部と、該判定の結果に応じた表示をディスプレイに表示させる判定結果表示部と、を備えたタッチセンサ付電子機器とする。【選択図】図４
2010026833.tif 000002
【特許請求の範囲】
【請求項１】
ユーザの接触に伴う静電容量の変化量を検出する容量検出部と、
該検出の結果が、予め設定された感度閾値を超えたときに、前記ユーザによって操作がなされたと認識する操作認識部と、
を備えた、タッチセンサ付の電子機器であって、
複数種の閾値候補のうちの何れかを、前記感度閾値として設定する閾値設定部と、
前記変化量が、隣り合う前記閾値候補同士で仕切られた各領域（「閾値間領域」とする）の何れに属しているかを判定する判定部と、
該判定の結果に応じた表示をディスプレイに表示させる判定結果表示部と、
を備えたことを特徴とするタッチセンサ付電子機器。
【請求項２】
前記判定結果表示部は、
閾値間領域の各々にそれぞれ対応するパートを含んだ、所定のキャラクタを表示させるとともに、前記変化量が属する閾値間領域に対応するパートを、他のパートよりも強調させるものであり、
該パートの各々は、互いに表示色が異なることを特徴とする請求項１に記載のタッチセンサ付電子機器。
【請求項３】
前記判定結果表示部は、
前記変化量が閾値間領域のうちの何れに属するかに応じて、前記ディスプレイにおける所定箇所の表示色を変えることを特徴とする請求項１に記載のタッチセンサ付電子機器。
【請求項４】
前記閾値設定部は、
ユーザによる隣接する前記パート同士の境界のうちの何れかの選択を受付け、
該選択のなされた境界を挟む各パートに対応した各閾値間領域を仕切る閾値候補を、前記感度閾値として設定することを特徴とする請求項２に記載のタッチセンサ付電子機器。
【請求項５】
前記閾値設定部は、
ユーザによる前記パートのうちの何れかの選択を受付け、
該選択のなされたパートに対応する閾値間領域の下方直近の閾値候補を、前記感度閾値として設定することを特徴とする請求項２に記載のタッチセンサ付電子機器。
【請求項６】
前記閾値設定部は、
前記判定部によって前記変化量が属していると判定された閾値間領域の下方直近の閾値候補を、前記感度閾値として設定することを特徴とする請求項１から請求項３の何れかに記載のタッチセンサ付電子機器。
【請求項７】
前記閾値間領域の各々は、互いに異なる色が対応付けられており、
前記閾値設定部は、
ユーザによる該色のうちの何れかの指定を受付け、
該指定の内容に応じた閾値候補を、前記感度閾値として設定することを特徴とする請求項１から請求項３の何れかに記載のタッチセンサ付電子機器。
【請求項８】
映像表示装置であることを特徴とする請求項１から請求項７の何れかに記載のタッチセンサ付電子機器。
【発明の詳細な説明】
【技術分野】
【０００１】
本発明は、タッチ操作を可能とするタッチセンサが設けられた電子機器に関する。
【背景技術】
【０００２】
従来、機器の操作に利用されるタッチセンサが設けられた電子機器が、種々開発されている。タッチセンサにおいては、例えば、ユーザがタッチパッドに接触することに伴う静電容量の変化が検出されることにより、タッチ操作が認識可能となっている。またこのようなタッチセンサ付の電子機器によれば、ユーザは機器を軽快に操作することができ、便利である。
【０００３】
ところで静電容量検出型のタッチセンサにおいては、静電容量の変化量がある閾値（以下、「感度閾値」と称する）を超えた場合に、タッチ操作が認識される。そのため機器の誤動作などを防止するためには、この感度閾値が適切に設定される必要がある。例えば感度閾値が大きすぎると（つまり感度が弱すぎると）、ユーザのタッチ操作が認識されにくくなり、不便となる。また逆に感度閾値が小さすぎると（つまり感度が強すぎると）、ユーザが操作を意図しない場合（例えば操作の意図なく、指がタッチセンサにかすってしまった場合）でもタッチ操作が認識されてしまい、この場合も不便となる。
【０００４】
またユーザの個人差や体調の変化などをも考慮すると、タッチ操作が行われる際の静電容量の変化量は、その都度変動することが十分考えられる。このような事情から、感度閾値が、例えばユーザの指示に応じて適宜調整可能となっているものが提案されている。
【特許文献１】特開２００５−３０００３０号公報
【発明の開示】
【発明が解決しようとする課題】
【０００５】
しかしながらユーザにとっては、タッチ操作を行おうとする際のタッチセンサにおける静電容量の変化量が、どの程度であるかを把握することは難しい。そのため、ユーザの指示に応じた感度閾値の調整（更新）が可能となっていても、ユーザにとっては、どのようにして（何の情報を根拠にして）当該調整を行えば良いかが分らず、当該調整を適切に行うことは容易ではない。なお仮に、静電容量の変化量の検出結果に応じて感度閾値が自動調整されるようになっていたとしても、ユーザにとっては、現状をより良く認識するために、この変化量の程度が把握可能となっていることが望ましい。
【０００６】
このような事情から、ユーザの接触に伴う静電容量の変化量がどの程度であるかを示す情報を、ユーザが把握可能となっていることが望ましい。特に、感度閾値が複数の候補（以下、「閾値候補」と称する）の何れかに調整される場合、当該静電容量の変化量がこれらの閾値候補との関係でどの程度であるかを、ユーザが把握可能となっていることが望まれる。
【０００７】
本発明は上述した問題点に鑑み、ユーザの接触に伴う静電容量の変化量が、閾値候補との関係でどの程度であるかを、ユーザが把握することのできるタッチセンサ付電子機器の提供を目的とする。
【課題を解決するための手段】
【０００８】
上記目的を達成するため、本発明に係るタッチセンサ付電子機器は、ユーザの接触に伴う静電容量の変化量を検出する容量検出部と、該検出の結果が、予め設定された感度閾値を超えたときに、前記ユーザによって操作がなされたと認識する操作認識部と、を備えた、タッチセンサ付の電子機器であって、複数種の閾値候補のうちの何れかを、前記感度閾値として設定する閾値設定部と、前記変化量が、隣り合う前記閾値候補同士で仕切られた各領域（「閾値間領域」とする）の何れに属しているかを判定する判定部と、該判定の結果に応じた表示をディスプレイに表示させる判定結果表示部と、を備えた構成とする。
【０００９】
本構成によれば、ユーザの接触に伴う静電容量の変化量が、何れの閾値間領域に属しているかに応じた表示が、ディスプレイに表示される。そのためユーザは、当該静電容量の変化量が、閾値候補との関係でどの程度であるかを把握することが可能となる。
【００１０】
また上記構成において、前記判定結果表示部は、閾値間領域の各々にそれぞれ対応するパートを含んだ、所定のキャラクタを表示させるとともに、前記変化量が属する閾値間領域に対応するパートを、他のパートよりも強調させるものであり、該パートの各々は、互いに表示色が異なる構成としてもよい。本構成によれば、静電容量の変化量の程度が色分けによって示される。そのため、ユーザにとっては、静電容量の変化量の程度を容易に把握することが可能となる。
【００１１】
また上記構成において、前記判定結果表示部は、前記変化量が閾値間領域のうちの何れに属するかに応じて、前記ディスプレイにおける所定箇所の表示色を変える構成としてもよい。本構成によれば、静電容量の変化量の程度が色分けによって示される。そのため、ユーザにとっては、静電容量の変化量の程度を容易に把握することが可能となる。
【００１２】
また上記構成において、前記閾値設定部は、ユーザによる隣接する前記パート同士の境界のうちの何れかの選択を受付け、該選択のなされた境界を挟む各パートに対応した各閾値間領域を仕切る閾値候補を、前記感度閾値として設定する構成としてもよい。本構成によれば、ユーザはキャラクタを利用して、所望の閾値候補を感度閾値として容易に設定させることができる。
【００１３】
また上記構成において、前記閾値設定部は、ユーザによる前記パートのうちの何れかの選択を受付け、該選択のなされたパートに対応する閾値間領域の下方直近の閾値候補を、前記感度閾値として設定する構成としてもよい。本構成によれば、ユーザはキャラクタを利用して、所望の閾値候補を感度閾値として容易に設定させることができる。なお「閾値間領域の下方直近の閾値候補」は、その閾値間領域と他の閾値間領域を仕切っている閾値候補のうちの、下側のものを指す。
【００１４】
また上記構成において、前記閾値設定部は、前記判定部によって前記変化量が属していると判定された閾値間領域の下方直近の閾値候補を、前記感度閾値として設定する構成としてもよい。本構成によれば、ユーザ（静電容量を変化させた者）によるタッチ操作の認識するための適切と見込まれる感度閾値を、自動的に設定させることが可能となる。
【００１５】
また上記構成において、前記閾値間領域の各々は、互いに異なる色が対応付けられており、前記閾値設定部は、ユーザによる該色のうちの何れかの指定を受付け、該指定の内容に応じた閾値候補を、前記感度閾値として設定する構成としてもよい。本構成によれば、ユーザは色を指定することで、所望の閾値候補を感度閾値として容易に設定させることができる。
【００１６】
また上記構成の電子機器は、例えばテレビ放送受信機のような映像表示装置であってもよい。本構成によれば、タッチセンサを用いた映像表示装置の操作が可能となる。
【発明の効果】
【００１７】
上述した通り、本発明に係るタッチセンサ付電子機器によれば、ユーザの接触に伴う静電容量の変化量が、何れの閾値間領域に属しているかに応じた表示が、ディスプレイに表示される。そのためユーザは、当該静電容量の変化量が、閾値候補との関係でどの程度であるかを把握することが可能となる。
【発明を実施するための最良の形態】
【００１８】
本発明の実施形態について、映像表示装置の一態様であるテレビ放送受信機（電子機器の一種と見ることもできる）を例に挙げて、以下に説明する。当該テレビ放送受信機の構成図を、図１に示す。本図に示すようにテレビ放送受信機１は、チューナ部１１、信号処理部１２、ディスプレイ１３、スピーカ１４、制御部１５、記憶部１６、および操作部１７などを備えている。
【００１９】
チューナ部１１は、前段に接続されているアンテナから、放送信号（テレビ番組に係る映像および音声の情報を含んだ信号）を受取り、制御部１５の指示に従って、何れかのチャンネルを選局する。
【００２０】
信号処理部１２は、チューナ部１１によって選局された放送信号を受取り、この放送信号に基づいた映像信号や音声信号を生成するために必要な各種処理を実行する。なお放送信号の一般的な処理方法については公知であるため、ここでは詳細な説明は省略する。
【００２１】
ディスプレイ１３は、信号処理部１２から伝送されてきた映像信号に基づいて、映像を表示する。また後述する通り、タッチセンサの感度設定などを目的とした、ＯＳＤ［On Screen Display］画面を表示することも可能となっている。またスピーカ１４は、信号処理部１２から伝送されてきた音声信号に基づいて、音声出力を行う。
【００２２】
制御部１５は、例えばＣＰＵ［Central Processing Unit］によって形成されており、テレビ放送受信機１において実行される各種処理を制御する。なおタッチセンサに関わる処理の内容については、改めて詳細に説明する。
【００２３】
また記憶部１６は、例えば書換え可能である不揮発性のメモリによって形成されており、各種情報を記憶する。なお記憶部１６が記憶している情報には、感度閾値（タッチ操作がなされたか否かを判別するために用いられる閾値）の候補である閾値候補の情報（Ｃ１、Ｃ２、およびＣ３）や、現在設定されている感度閾値の情報等が含まれている。なお閾値候補の大小関係は、Ｃ１＜Ｃ２＜Ｃ３となっている。これらの閾値候補は、後述する感度調整モードにおいて用いられる。
【００２４】
操作部１７は、複数のタッチセンサ等を備えており、ユーザによるタッチセンサの操作を受付けるとともに、操作内容（どのタッチセンサが操作されたか等）を制御部１５に伝送する。これにより制御部１５は、各処理の制御において、ユーザの意図を反映させることが可能となっている。
【００２５】
ここで操作部１７に備えられているタッチセンサの概略的な構成図を、図２に示す。本図に示すようにタッチセンサ２０は、略シート状の絶縁部材であるタッチパッド２１が設けられており、その一方の面は、ユーザの指が接触するユーザ接触面２１ａとなっており、他方の面には、電極２２が設けられている。
【００２６】
このような構成により、ユーザの指がユーザ接触面２１ａに接触すると、指と電極２２との間で静電誘導が発生し、タッチパッド２１の静電容量２３が変化することになる。そして静電容量２３の変化量（ユーザ接触面２１ａに何も接触していない状態からの変化量を指す。以下同様）の情報は、制御部１５に伝送されることになる。
【００２７】
上述した構成により、テレビ放送受信機１は、放送信号を受信するとともに、テレビ番組に係る映像表示や音声出力を実行する。またユーザは、操作部１７に設けられたタッチセンサ２０を通じて、テレビ放送受信機１に各種指示を与えることが可能となっている。ここで、テレビ放送受信機１において実行される、タッチセンサ２０に関わる主な処理の流れについて、図３のフローチャートを参照しながら以下に説明する。
【００２８】
制御部１５は、少なくとも一つのタッチセンサ２０における静電容量の変化量が、現在設定されている感度閾値を超えているか否か（ステップＳ１）、および、ユーザによる感度調整モードへの移行指示が有ったか否か（ステップＳ２）について、継続的に監視する。
【００２９】
そして静電容量の変化量が感度閾値を超えていると判断された場合には（ステップＳ１のＹ）、制御部１５は、ユーザによるタッチセンサ２０の操作（タッチ操作）がなされたと認識し、その操作に対応付けられている処理を実行する（ステップＳ３）。例えば「音量調整」の処理に対応しているタッチセンサ２０が操作された場合には、制御部１５は、音量調整が実行されるように、スピーカ１４等を制御する。
【００３０】
またユーザによる、感度調整モードへの移行指示が有った場合には（ステップＳ２のＹ）、制御部１５は、タッチセンサ２０の感度調整を行うための感度調整モードに移行する。この感度調整モードでは、次のような処理が実行される。
【００３１】
まず制御部１５は、ディスプレイ１３の全体または一部に、図４に示すようなＯＳＤ画面を表示させる（ステップＳ４）。このＯＳＤ画面には、キャラクタ３１、第１矢印３２、および第２矢印３３が、それぞれ表示される。
【００３２】
キャラクタ３１は、青で着色された（表示色が青である）青のパート３１ａ、緑で着色された緑のパート３１ｂ、黄で着色された黄のパート３１ｃ、および赤で着色された赤のパート３１ｃの各々から形成されている。これらのパートは、左から右方向へ順に帯状に並んだ態様となっており、隣接するパート同士は互いに接触している。また第１矢印３２は、キャラクタ３１における何れかのパートを指し示すためのものであり、第２矢印３３は、キャラクタ３１において隣接するパートの境界のうちの、何れかの境界を指し示すためのものである。
【００３３】
このようなＯＳＤ画面が表示されている間、制御部１５は、記憶部１６に記憶されている閾値候補（Ｃ１〜Ｃ３）の情報を用いて、現在の所定のタッチセンサ２０における静電容量の変化量が、Ｃ１未満である第１領域、Ｃ１以上Ｃ２未満である第２領域、Ｃ２以上Ｃ３未満である第３領域、およびＣ３以上である第４領域のうちの、何れの領域に属しているかを検出し、この検出結果をＯＳＤ画面上に表示する（ステップＳ５）。
【００３４】
より具体的には、当該変化量が第１領域に属している場合には、青のパート３１ａを指し示すように、第２領域に属している場合には、緑のパート３１ｂを指し示すように、第３領域に属している場合には、黄のパート３１ｃを指し示すように、第４領域に属している場合には、赤のパート３１ｄを指し示すように、第１矢印３２を表示させる。なお第１領域から第４領域の各領域を総称して、以下単に「領域」と称することがある。
【００３５】
なおこのことから、青のパート３１ａは第１領域に、緑のパート３１ｂは第２領域に、黄のパート３１ｃは第３領域に、赤のパート３１ｄは第４領域に、それぞれ対応していると見ることもできる。また第１領域には青色が、第２領域には緑色が、第３領域には黄色が、第４領域には赤色が、それぞれ対応していると見ることもできる。また更に、各パート（３１ａ〜３１ｄ）は、静電容量の変化量が小さい領域に対応するものから順番に、左から右に並んでいるといえる。
【００３６】
また同じくＯＳＤ画面が表示されている間、制御部１５は、タッチセンサ２０の感度閾値を、何れの閾値候補に更新すべきかについての、ユーザの選択を受付ける（ステップＳ６）。より具体的には、操作部１７におけるユーザの操作に応じて、ＯＳＤ画面上の第２矢印３３を、青のパートと緑のパートの境界（Ｃ１に相当）、緑のパートと黄のパートの境界（Ｃ２に相当）、および黄のパートと赤のパートの境界（Ｃ３に相当）の何れかを指し示すようにしておき、ユーザがこれらの境界のうちの何れかを選択できるようにしておく。なおユーザは、第２矢印３３を見ることで、どの境界を選択したかを確認することが可能となっている。
【００３７】
そして制御部１５は、選択された境界を挟む各パート（３１ａ〜３１ｄ）に対応した領域を仕切る閾値候補が、ユーザによって選択されたとみなす。例えば図４に示すように、緑のパート３１ｂと黄のパート３１ｃに挟まれた境界が選択された場合には、第２領域と第３領域を仕切る閾値候補であるＣ２が、ユーザによって選択されたとみなされる。
【００３８】
このようにして何れかの閾値候補がユーザによって選択されたら（ステップＳ６のＹ）、制御部１５は、感度閾値の設定内容を選択された閾値候補に更新する（ステップＳ７）。その後、制御部１５は、感度調整モードを終了させ、ステップＳ１の処理に戻ることとする。そして以降のステップＳ１の処理では、タッチセンサ２０における静電容量の変化量が、新たに設定された感度閾値を超えている場合に、ステップＳ３の処理が実行されることになる。
【００３９】
なおユーザによって何れかの閾値候補が選択されていない間は（ステップＳ６のＮ）、ステップＳ５とステップＳ６の処理が継続して実行される。これにより、ＯＳＤ画面上の第１矢印３２は、現在の静電容量の変化量がどの領域に属しているかを、継続的かつリアルタイムに表示する。
【００４０】
以上に説明した一連の処理がなされることにより、ユーザは、自らがタッチ操作を行うにあたって、タッチセンサ２０の感度を適切に調整することが可能となっている。ここで当該調整の内容について、より理解容易とするために、具体的事例を挙げて以下に説明する。まず感度調整を行おうとする場合、ユーザは、操作部１７を操作することにより、テレビ放送受信機１に対して、感度調整モードへの移行指示を与える（ステップＳ２のＹに相当）。
【００４１】
その次にユーザは、タッチ操作を行うつもりで、所定のタッチセンサ２０に触れるようにする。そうすると、ユーザが触れたことによるタッチセンサ２０の静電容量の変化量が、第１領域から第４領域までのどの領域に属しているかが、第１矢印３２が何れかのパート（３１ａ〜３１ｄ）を指し示す態様で、ＯＳＤ画面上に表示される（ステップＳ５に相当）。なおここでは、黄のパート３１ｃが指し示されたと仮定する。
【００４２】
そこでユーザは、この表示内容を参考にして、互いに隣接するパート（３１ａ〜３１ｄ）同士の境界の何れかを選択することになる。なお第１矢印３２が黄のパート３１ｃを指し示している場合（ユーザの接触による静電容量の変化量が、第３領域に属している場合）には、第３領域の下方直近の境界（Ｃ２）に相当する閾値候補が感度閾値として設定されると、タッチセンサ２０の感度が過不足無く調整される。そのためユーザは通常、Ｃ２に相当する境界（緑のパート３１ｂと黄のパート３１ｃの境界）を選択する。ただし種々の事情に鑑みて、ユーザは、他の境界を選択することも可能である。
【００４３】
そして緑のパート３１ｂと黄のパート３１ｃの境界が選択されたとすると（ステップＳ６のＹに相当）、選択された境界に対応する閾値候補Ｃ２が、感度閾値として新たに設定されることになる（ステップＳ７）。以上の通りユーザにとっては、自分がタッチ操作を行った場合に静電容量がどの程度変化するかの情報を参考にしながら、タッチセンサの感度を調整することが可能となっている。その結果、このような情報を参考にしない場合に比べて、当該調整を適切に実行させることが容易となっている。
【００４４】
また現在の静電容量の変化量がどの領域に属しているかの表示（ステップＳ５）は、各領域にそれぞれ対応するパート（３１ａ〜３１ｄ）を含んだキャラクタ３１を表示させるとともに、現在の静電容量の変化量が属する領域に対応したパートが、指し示される方法により実現されている。また更に、各パート（３１ａ〜３１ｄ）は、互いに表示色が異なっている。
【００４５】
このように、静電容量の変化量が各閾値候補との関係でどの程度であるかが、色分けによって表示されるようになっている。そのため、ユーザはこれを視覚的かつ感覚的に把握することが可能となっている。
【００４６】
なおステップＳ５の処理においては、あるパートを他のパートから識別させるために、第１矢印３２がそのパートを指し示すようにしているが、例えばそのパート自体を点滅させる方法など、他の方法を用いて識別させるようにしても良い。つまり表示において、何らかの方法によって、そのパートを他のパートよりも強調させるようにすれば、ユーザは当該識別を行うことが可能となる。
【００４７】
またステップＳ５の処理においては、ＯＳＤ画面上の所定箇所の表示色を、現在の静電容量の変化量が何れの領域に属するかに応じて変えることにより、当該変化量がどの領域に属しているかを表示させるようにしても良い。例えば図５で示すように、ＯＳＤ画面上に、青、緑、黄、および赤の各色に表示色が切替可能な表示窓３４を設けておき、この表示色が、現在の静電容量の変化量が何れの領域に属しているかに応じて変わるようにすれば良い。
【００４８】
このような態様であっても、静電容量の変化量が各閾値候補との関係でどの程度であるかが、色分けに表示されることになる。そのため、ユーザはこれを視覚的かつ感覚的に把握することが可能となる。
【００４９】
また閾値候補の何れかの選択（ステップＳ６）は、ユーザにとっては、隣接しているパート（３１ａ〜３１ｄ）同士の境界の何れかを選択することで、実現可能となっている。そのためユーザは、キャラクタ３１を利用して、所望の閾値候補を感度閾値として容易に設定させることができる。
【００５０】
またステップＳ６の処理において、ユーザによる各パート（３１ａ〜３１ｄ）のうちの何れかの選択を受付けるとともに、ステップＳ７の処理においては、選択されたパートに対応する領域の下方直近の閾値候補が、感度閾値として設定されるようになっていても良い。例えば、操作部１７におけるユーザの操作に応じて、図６に示すように、各パート（３１ａ〜３１ｄ）の何れかを指し示すように第２矢印３３を表示させ、指し示されたパートがユーザによって選択されたものとすれば良い。
【００５１】
この場合、仮に黄のパート３１ｃが選択されたとすれば、このパートに対応している第３領域（Ｃ２〜Ｃ３）の下方直近の閾値候補であるＣ２が、感度閾値として設定更新されることになる。このような態様であっても、ユーザはキャラクタ３１を利用して、所望の閾値候補を感度閾値として容易に設定させることができる。
【００５２】
なおユーザに何れかのパート（３１ａ〜３１ｄ）を選択させる手段として、ユーザに色を指定させる方法が採用されていても構わない。例えば操作部１７において、各パート（３１ａ〜３１ｄ）の表示色（青、緑、黄、赤）に着色されたスイッチをそれぞれ設けておき、ユーザが何れかのスイッチを操作したら、そのスイッチの色のパートが選択されたと見なす方法等が考えられる。このような態様であれば、ユーザは色を指定することにより、所望の閾値候補を感度閾値として容易に設定させることができる。
【００５３】
また更に、ステップＳ６の処理がなされる代わりに、検出された静電容量の変化量に応じて、閾値候補が自動的に選択されるようにしても構わない。例えば感度調整モードにおいて、静電容量の変化量が所定値（例えばＣ１の５０％）を超えて安定したら、その時の変化量が属する領域の下方直近の閾値候補が、自動的に選択されるようにしても良い。選択された閾値候補は、感度閾値として設定更新されることになる（ステップＳ７）。
【００５４】
このようにすれば、ユーザ（静電容量を変化させた者）によるタッチ操作を認識するために適切と見込まれる感度閾値を、自動的に設定させることが可能となる。またユーザは、感度閾値を設定更新させるにあたって、ステップＳ６の処理に関する選択の手間を省くことができる。
【００５５】
以上までに説明した通り、本実施形態のテレビ放送受信機１（タッチセンサ付電子機器）は、タッチセンサ２０におけるユーザの接触に伴う静電容量の変化量を検出し、該検出の結果が、予め設定された感度閾値を超えたときに、ユーザによって操作がなされたと認識する。また制御部１５は、複数種の閾値候補のうちの何れかを感度閾値として設定し、さらに、静電容量の変化量が各領域の何れに属しているかを判定する。そして、この判定の結果に応じた表示を、ディスプレイ１３に表示させる。
【００５６】
このような構成により、ユーザの接触に伴う静電容量の変化量が、何れの領域に属しているかに応じた表示が、ディスプレイ１３に表示される。そのためユーザは、静電容量の変化量が、各閾値候補との関係でどの程度であるかを把握することが可能となっている。
【００５７】
以上、本発明の実施形態について例を挙げて説明したが、本発明はこの内容に限定されるものではなく、種々の態様にて実施可能である。
【産業上の利用可能性】
【００５８】
本発明は、タッチセンサが設けられた電子機器などの分野において利用可能である。
【図面の簡単な説明】
【００５９】
【図１】本発明の実施形態に係るテレビ放送受信機の構成図である。
【図２】本発明の実施形態に係るタッチセンサの構成図である。
【図３】タッチセンサに関わる主な処理のフローチャートである。
【図４】ＯＳＤ画面の説明図である。
【図５】ＯＳＤ画面の説明図である。
【図６】ＯＳＤ画面の説明図である。
【符号の説明】
【００６０】
１    テレビ放送受信機（タッチセンサ付電子機器）
１１    チューナ部
１２    信号処理部
１３    ディスプレイ
１４    スピーカ
１５    制御部
１６    記憶部
１７    操作部
２０    タッチセンサ
２１    タッチパッド
２１ａ  ユーザ接触面
２２    電極
２３    静電容量
３１    キャラクタ
３１ａ  青のパート
３１ｂ  緑のパート
３１ｃ  黄のパート
３１ｄ  赤のパート
３２    第１矢印
３３    第２矢印
３４    表示窓
【図１】
2010026833.tif 000003
【図２】
2010026833.tif 000004
【図３】
2010026833.tif 000005
【図４】
2010026833.tif 000006
【図５】
2010026833.tif 000007
【図６】
2010026833.tif 000008